(57)【要約】      （修正有）【課題】制御チップの供給電圧状態を検出すると共に、他の電圧状態も検出できる電子製品の再起動装置を提供する。【解決手段】電子製品の再起動装置は、処理チップの供給電圧である第一電源に接続される第一接続ポート、処理チップの供給電圧以外の他の電圧である第二電源に接続される第二接続ポート、再起動チップ、電圧応答モジュール、及び制御モジュールを備える。再起動チップは、受信した電圧が第一電圧から第二電圧まで変化した場合、再起動信号を生成して、処理チップの再起動を実行する。【選択図】図１
2013187911.tif 000002
【特許請求の範囲】
【請求項１】
処理チップの供給電圧である第一電源に接続される第一接続ポートと、前記第一接続ポートに接続され、且つ前記第一接続ポートに接続されている処理チップを再起動する再起動チップと、を備える電子製品の再起動装置において、
前記電子製品の再起動装置は、
前記処理チップの供給電圧以外の他の電圧である第二電源に接続される第二接続ポートと、
前記第二接続ポートに電気接続され、前記第二電源の電圧の変化に応答して第一応答信号を出力し、且つ前記第二電源が安定している際に、第二応答信号を出力する電圧応答モジュールと、
前記電圧応答モジュール及び再起動チップに電気接続され、前記電圧応答モジュールが第一応答信号を出力した場合、前記第一電源より低い第一電圧を出力し、且つ前記電圧応答モジュールが第二応答信号を出力した場合、前記第一電源に等しい第二電圧を出力する制御モジュールと、をさらに備え、
前記再起動チップは、受信した電圧が前記第一電圧から前記第二電圧まで変化した場合、再起動信号を生成して、前記処理チップの再起動を実行することを特徴とする電子製品の再起動装置。
【請求項２】
前記制御モジュールは、第一抵抗、高レベル電圧導通スイッチ、及び第二抵抗を備え、前記高レベル電圧導通スイッチは、前記第一抵抗を介して前記電圧応答モジュールに接続され、且つ前記第二抵抗及び前記第一接続ポートを介して前記第一電源の正極に接続されることを特徴とする請求項１に記載の電子製品の再起動装置。
【請求項３】
前記高レベル電圧導通スイッチは、ＮＰＮ型バイポーラ接合トランジスタであることを特徴とする請求項２に記載の電子製品の再起動装置。
【請求項４】
前記ＮＰＮ型バイポーラ接合トランジスタのベース電極は、前記第一抵抗を介して前記電圧応答モジュールに接続され、前記ＮＰＮ型バイポーラ接合トランジスタのコレクタ電極は、前記第二抵抗及び第一接続ポートを介して前記第一電源の正極に接続されることを特徴とする請求項３に記載の電子製品の再起動装置。
【請求項５】
前記電圧応答モジュールが高電圧の第一応答信号を前記制御モジュールに出力した場合、前記ＮＰＮ型バイポーラ接合トランジスタのベース電極の電圧は、前記ＮＰＮ型バイポーラ接合トランジスタのコレクタ電極の電圧より大きくなり、前記ＮＰＮ型バイポーラ接合トランジスタは導通され、この時、前記第一電源は、前記第二抵抗及び導通された前記ＮＰＮ型バイポーラ接合トランジスタを介して接地され、前記制御モジュールは、前記第一電源より低い前記第一電圧を前記再起動チップに出力することを特徴とする請求項４に記載の電子製品の再起動装置。
【請求項６】
前記電圧応答モジュールが低電圧の第二応答信号を前記制御モジュールに出力した場合、前記ＮＰＮ型バイポーラ接合トランジスタのベース電極の電圧は、前記ＮＰＮ型バイポーラ接合トランジスタのコレクタ電極の電圧以下になり、前記ＮＰＮ型バイポーラ接合トランジスタは遮断され、前記制御モジュールは、前記第一電源に等しい前記第二電圧を前記再起動チップに出力することを特徴とする請求項４に記載の電子製品の再起動装置。
【請求項７】
前記電圧応答モジュールは、キャパシタ及び抵抗を備え、前記キャパシタ及び前記抵抗は、前記第二電源と地との間に直列接続され、前記キャパシタと前記抵抗との接続点は、前記制御モジュールの第一抵抗を介して前記制御モジュールのＮＰＮ型バイポーラ接合トランジスタのベース電極と接続されることを特徴とする請求項４に記載の電子製品の再起動装置。
【請求項８】
前記第二電源の電圧に異常が発生した場合、交番電圧が形成され、前記第二電源は前記キャパシタに充電し、前記キャパシタの充電が完了すると、前記キャパシタと前記抵抗との接続点に電圧が形成され、この時、前記電圧応答モジュールは、前記制御モジュールに高電圧の第一応答信号を出力することを特徴とする請求項７に記載の電子製品の再起動装置。
【請求項９】
前記第二電源が安定している場合、前記第二電源は前記キャパシタに対して充電せず、前記キャパシタは前記抵抗を介して放電し、前記キャパシタと前記抵抗との接続点の電圧は低電圧になり、この時、前記電圧応答モジュールは、前記制御モジュールに低電圧の第二応答信号を出力することを特徴とする請求項７に記載の電子製品の再起動装置。
【発明の詳細な説明】
【技術分野】
【０００１】
本発明は、電子製品の再起動装置に関するものである。
【背景技術】
【０００２】
現在、電子製品の再起動装置は、対応する制御チップの供給電圧状態のみを検出する。従って、電子製品の再起動装置は、供給電圧に異常が発生した場合、対応する制御チップを制御して再起動を行う。
【０００３】
しかし、他の電圧（例えば、ディスク読出し電圧、ＬＣＤ表示電圧）に異常が発生した場合は、電子製品の再起動装置は制御チップを制御して再起動を行わないため、システムは正常に動作するが、部分的な機能は動作しないなどの現象が発生する。従って、制御チップの供給電圧状態を検出すると共に、他の電圧状態も検出する電子製品の再起動装置が必要になる。
【発明の概要】
【発明が解決しようとする課題】
【０００４】
以上の問題点に鑑みて、本発明は、制御チップの供給電圧状態を検出すると共に、他の電圧状態も検出できる電子製品の再起動装置を提供することを目的とする。
【課題を解決するための手段】
【０００５】
前記課題を解決するために、本発明に係る電子製品の再起動装置は、処理チップの供給電圧である第一電源に接続される第一接続ポートと、前記処理チップの供給電圧以外の他の電圧である第二電源に接続される第二接続ポートと、前記第一接続ポートに接続され、且つ前記第一接続ポートに接続されている処理チップを再起動する再起動チップと、前記第二接続ポートに電気接続され、前記第二電源の電圧の変化に応答して第一応答信号を出力し、且つ前記第二電源が安定的している場合、第二応答信号を出力する電圧応答モジュールと、前記電圧応答モジュール及び再起動チップに電気接続され、前記電圧応答モジュールが第一応答信号を出力した場合、前記第一電源より低い第一電圧を出力し、且つ前記電圧応答モジュールが第二応答信号を出力した場合、前記第一電源に等しい第二電圧を出力する制御モジュールと、を備える。前記再起動チップは、受信した電圧が前記第一電圧から前記第二電圧まで変化した場合、再起動信号を生成して、前記処理チップの再起動を実行する。
【発明の効果】
【０００６】
本発明に係る電子製品の再起動装置は、その電圧応答モジュールが、第二電源の電圧の変化に応答して第一応答信号を出力し、且つ第二電源が安定している際に、第二応答信号を出力し、制御モジュールが、第一応答信号を受信した場合に、第一電源より低い第一電圧を出力し、且つ第二応答信号を受信した場合に、第一電源に等しい第二電圧を出力し、再起動チップが、第一電圧から第二電圧まで変化した電圧を受信した場合に、処理チップに対して再起動を実行することによって、制御チップの供給電圧以外の他の電圧状態を検出する。
【図面の簡単な説明】
【０００７】
【図１】本発明に係る電子製品の再起動装置の機能ブロック図である。
【図２】本発明に係る電子製品の再起動装置の具体的な回路図である。
【発明を実施するための形態】
【０００８】
以下、図面に基づいて、本発明に係る電子製品の再起動装置について詳細に説明する。
【０００９】
本発明に係る電子製品の再起動装置は、電子製品に応用されて、電子製品のの処理チップに対して再起動を行う。
【００１０】
図１に示したように、本発明に係る電子製品の再起動装置１は、第一接続ポート１０、第二接続ポート２０、電圧応答モジュール３０、制御モジュール４０、及び再起動チップ５０を備える。第一接続ポート１０は、第一電源６０に接続され、第二接続ポート２０は、第二電源７０に接続される。第一電源６０は、処理チップ８０の供給電圧であり、第二電源７０は、処理チップ８０の供給電圧以外の他の電圧である。本実施形態において、第一電源６０は、３．３Ｖの電圧を供給し、第二電源７０は、５Ｖの電圧を供給する。
【００１１】
電圧応答モジュール３０は、第二電源７０の電圧が変化した場合（例えば、第二電源７０が低電圧から高電圧まで上昇した場合）、その電圧の変化に応答して第一応答信号を出力し、第二電源の電圧が安定している場合、第二応答信号を出力する。制御モジュール４０は、電圧応答モジュール３０が出力した第一応答信号に基づいて、第一電源６０より低い第一電圧を出力し、また、電圧応答モジュール３０が出力した第二応答信号に基づいて、第一電源６０に等しい第二電圧を出力する。再起動チップ５０は、制御モジュール４０と処理チップ８０との間に接続されて、制御モジュール４０が出力した電圧が第一電圧から第二電圧まで変化したことを検出すると、再起動信号を生成して処理チップ８０を再起動させる。
【００１２】
図２を参照すると、第一接続ポート１０は、正極接続端１０１及び負極接続端１０２を備え、正極接続端１０１は、第一電源６０の正極に接続され、負極接続端１０２は、第一電源６０の負極に接続される。第二接続ポート２０は、正極接続端２０１及び負極接続端２０２を備え、正極接続端２０１は、第二電源７０の正極に接続され、負極接続端２０２は、第二電源７０の負極に接続される。図２において、第一電源６０は、Ｖｃｃ１であり、第二電源７０は、Ｖｃｃ２である。
【００１３】
電圧応答モジュール３０は、キャパシタ３０１及び抵抗Ｒ１を備える。キャパシタ３０１及び抵抗Ｒ１は、第二接続ポート２０の正極接続端２０１と接地との間に直列接続されている。キャパシタ３０１と抵抗Ｒ１との接続点Ｎは、制御モジュール４０と接続される。
【００１４】
制御モジュール４０は、第一抵抗Ｒ２、高レベル電圧導通スイッチ４０１、及び第二抵抗Ｒ３を備える。本実施形態において、高レベル電圧導通スイッチ４０１は、ＮＰＮ型バイポーラ接合トランジスタ（ＢＪＴ）Ｑ１である。ＮＰＮ型バイポーラ接合トランジスタＱ１のベース電極は、第一抵抗Ｒ２を介して電圧応答モジュール３０のキャパシタ３０１と抵抗Ｒ１との接続点Ｎに接続され、ＮＰＮ型バイポーラ接合トランジスタＱ１のエミッタ電極は接地され、ＮＰＮ型バイポーラ接合トランジスタＱ１のコレクタ電極は、第二抵抗Ｒ３を介して第一接続ポート１０の正極接続端１０１に接続される。ＮＰＮ型バイポーラ接合トランジスタＱ１のコレクタ電極と第二抵抗Ｒ３との接続点Ｏは、再起動チップ５０と接続される。
【００１５】
再起動チップ５０は、第一ポートＶＤＤ及び第二ポートＯＵＴを備える。第一ポートＶＤＤは、ＮＰＮ型バイポーラ接合トランジスタＱ１のコレクタ電極と第二抵抗Ｒ３との接続点Ｏに接続され、第二ポートＯＵＴは、処理チップ８０に接続される。
【００１６】
第二電源７０の電圧に異常が発生した場合（例えば、低電圧から正常な電圧に回復した場合）、交流電圧（ａｌｔｅｒｎａｔｉｎｇ  ｖｏｌｔａｇｅ）が生成され、該第二電源７０はキャパシタ３０１に充電し、このキャパシタ３０１の充電が完了すると、接続点Ｎに電圧Ｖが形成される。この時、電圧応答モジュール３０は、ＮＰＮ型バイポーラ接合トランジスタＱ１のベース電極に高電圧の第一応答信号を出力させる。従って、ＮＰＮ型バイポーラ接合トランジスタＱ１のベース電極の電圧は、ＮＰＮ型バイポーラ接合トランジスタＱ１のコレクタ電極の電圧より大きくなり、ＮＰＮ型バイポーラ接合トランジスタＱ１は導通される。この時、第一電源６０の電圧は、第二抵抗Ｒ３及び前記導通されたＮＰＮ型バイポーラ接合トランジスタＱ１を介して接地され、制御モジュール４０は、第一電源６０より低い第一電圧を再起動チップ５０に出力する。
【００１７】
第二電源７０が安定的している場合、キャパシタ３０１は遮断され、該キャパシタ３０１は抵抗Ｒ１を介して放電して、接続点Ｎの電圧は低電圧になる。この時、電圧応答モジュール３０は、ＮＰＮ型バイポーラ接合トランジスタＱ１のベース電極に低電圧の第二応答信号を出力させる。従って、該ＮＰＮ型バイポーラ接合トランジスタＱ１のベース電極の電圧は、ＮＰＮ型バイポーラ接合トランジスタＱ１のコレクタ電極の電圧以下になり、ＮＰＮ型バイポーラ接合トランジスタＱ１は遮断される。この時、制御モジュール４０は、第一電源６０に等しい第二電圧を再起動チップ５０に出力する。
【００１８】
再起動チップ５０の第一ポートＶＤＤが受信した電圧が第一電圧から第二電圧まで変化した場合、再起動チップ５０の第二ポートＯＵＴは、再起動信号を処理チップ８０に出力する。この時、処理チップ８０は、該再起動信号に基づいて初期化する。
【００１９】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００２０】
１  再起動装置
１０  第一接続ポート
２０  第二接続ポート
３０  電圧応答モジュール
４０  制御モジュール
５０  再起動チップ
６０  第一電源
７０  第二電源
８０  処理チップ
１０１、２０１  正極接続端
１０２、２０２  負極接続端
３０１  キャパシタ
４０１  高レベル電圧導通スイッチ
Ｒ１  抵抗
Ｒ２  第一抵抗
Ｒ３  第二抵抗
Ｑ１  ＮＰＮ型バイポーラ接合トランジスタ
ＶＤＤ  第一ポート
ＯＵＴ  第二ポート
【図１】
2013187911.tif 000003
【図２】
2013187911.tif 000004